(57)【要約】      （修正有）【課題】簡単な構成で容器などの筒状物内の湿気を除去することができる筒状物換気具および筒状物の換気方法を提供する。【解決手段】筒状物換気具１００は、板状本体１０１に案内部１０２が形成されて備えている。板状本体１０１は、長手方向が筒状物ＷＫ内に挿入された状態で開口部ＡＰから張り出す長さに形成されるとともに、この長手方向に直交する幅方向が筒状物ＷＫの開口部ＡＰに挿入可能な長さの幅に形成された平面状の薄板体で構成されている。案内部１０２は、板状本体１０１の両面の各板面の長手方向の両端部間に溝状に凹んで延びて形成されており、板状本体１０１の一方の板面に形成されて１つの溝状の案内部１０２ａと他方の板面に形成された２つの溝状の案内部１０２ｂとで構成されている。この筒状物換気具１００は、ペットボトルからなる筒状物ＷＫ内に挿し込まれて使用される。【選択図】図２
2020079691.tif 000002
【特許請求の範囲】
【請求項１】
開口部を有する筒状に形成された筒状物の内部を換気するための筒状物換気具であって、
前記開口部を介して前記筒状物内に挿し込むことができる長尺の板状体で構成された板状本体を備え、
前記板状本体は、
前記開口部の開口幅の少なくとも半分以上の幅でかつ前記板状本体の両面側で前記開口部における開口部分を確保できる厚さに形成されるとともに、前記板状本体の長手方向の一方の端部側が前記筒状物内に挿し込まれた状態で他方の端部側が前記開口部を介して前記筒状物の外部に張り出す長さに形成されていることを特徴とする筒状物換気具。  
【請求項２】
請求項１に記載した筒状物換気具において、
前記板状本体は、
前記筒状物における前記開口部からの深さの半分以上に達する長さに形成されていることを特徴とする筒状物換気具。
【請求項３】
請求項１または請求項２に記載した筒状物換気具において、
前記板状本体は、
板面に長手方向に沿って凹状に凹んで延びる溝状の案内部が形成されていることを特徴とする筒状物換気具。
【請求項４】
請求項１ないし請求項３のうちのいずれか１つに記載した筒状物換気具において、
前記板状本体は、
板面の長手方向に延びる折り部または曲げ部によって幅方向の長さが伸縮自在に形成されていることを特徴とする筒状物換気具。
【請求項５】
請求項１ないし請求項４のうちのいずれか１つに記載した筒状物換気具において、
前記板状本体は、
前記筒状物に沿う長手方向に対して屈曲して形成されていることを特徴とする筒状物換気具。
【請求項６】
請求項１ないし請求項５のうちのいずれか１つに記載した筒状物換気具において、
前記板状本体は、
前記筒状物の外部に張り出す側の先端部に前記筒状物に沿う長手方向に対して直交する方向に延びる規制壁を備えることを特徴とする筒状物換気具。
【請求項７】
開口部を有する筒状に形成された筒状物の内部を換気するための筒状物の換気方法であって、
前記開口部を介して前記筒状物内に挿し込んだ状態で同筒状物の外部に張り出す長尺の板状体で構成されるとともに、前記開口部の開口幅の少なくとも半分以上の幅でかつ前記板状体の両面側で前記開口部における開口部分を確保できる厚さに形成された板状本体で構成された筒状物換気具を用意する器具準備工程と、
前記筒状物換気具を前記筒状物の外部に張り出す状態で同筒状物内に前記開口部を介して挿し込む器具装着工程と、
前記筒状物換気具を前記筒状物に挿し込んだ状態を維持して同筒状物内を換気する換気工程とを含むことを特徴とする筒状物の換気方法。
【発明の詳細な説明】
【技術分野】
【０００１】
本発明は、開口部を有する筒状に形成された筒状物の内部を換気するための筒状物換気具および筒状物の換気方法に関する。
【背景技術】
【０００２】
従来から、ペットボトルやビンなどの容器を早期に乾燥させるための容器乾燥具がある。例えば、下記特許文献１には、円板状の支持台上に吸湿材で構成された棒部材を起立した状態で設けてこの棒部材を容器内に挿入することで容器内の湿気を吸収する容器乾燥具が開示されている。
【先行技術文献】
【特許文献】
【０００３】
【特許文献１】特開２０００−２０５７４７号公報
【０００４】
しかしながら、上記特許文献１に記載された容器乾燥具においては、構造が複雑であるとともに、容器内の湿気を棒部材が吸収するのに時間が掛かるとともに棒部材の吸湿容量以上に湿気を吸収することはできないという問題がある。
【０００５】
本発明は上記問題に対処するためなされたもので、その目的は、簡単な構成で容器などの筒状物内の湿気を除去することができる筒状物換気具および筒状物の換気方法を提供することにある。
【発明の概要】
【０００６】
上記目的を達成するため、本発明の特徴は、開口部を有する筒状に形成された筒状物の内部を換気するための筒状物換気具であって、開口部を介して筒状物内に挿し込むことができる長尺の板状体で構成された板状本体を備え、板状本体は、開口部の開口幅の少なくとも半分以上の幅でかつ板状本体の両面側で開口部における開口部分を確保できる厚さに形成されるとともに、板状本体の長手方向の一方の端部側が筒状物内に挿し込まれた状態で他方の端部側が開口部を介して筒状物の外部に張り出す長さに形成されていることにある。
【０００７】
このように構成した本発明の特徴によれば、筒状物換気具は、筒状物内に挿し込まれる板状本体が筒状物の開口部を介して筒状物内に挿し込んだ状態で同筒状物の外部に張り出す長尺の板状体で構成されるとともに、開口部の開口幅の少なくとも半分以上の幅でかつ板状本体の両面側で開口部を塞ぐことなく開口部分を確保できる厚さに形成されている。これにより、本発明に係る筒状物換気具は、筒状物の外部の空気を積極的に筒状物の内部に導入して換気することができ筒状物の内部を早期に乾燥させることができる。
【０００８】
ここで、筒状物としては、開口部からの奥行きの長い有底または無底（貫通）の筒状に形成されたものであり、主として、容器、衣服、靴または鞄がある。この場合、容器としては、ペットボトルやワインボトルなどのボトル、ビン、コップ、調味料入れ、水筒、湯沸しポット、洗顔用・洗髪用・身体用の液体石鹸容器、花瓶、徳利、牛乳パック、飲料缶、樽、ドラム缶、タンク、ビーカ、フラスコまたは試験管がある。また、衣服としては、Ｔシャツ、トレーナ、ハイソックス、ルーズソックス、手袋、ズボンまたは胴長などがある。また、靴としては、紳士靴、運動靴、長靴またはブーツなどがある。また、鞄としては、リュックサック、ずだ袋、トートバックまたはハンドバックなどがある。また、筒状物としては、上記以外にも、開口部からの奥行きの長い下駄箱、収納棚、ロッカー、地面に掘った穴、排水口などの配管、洗濯機の洗濯槽またはストローなどもある。
【０００９】
また、本発明の他の特徴は、前記筒状物換気具において、板状本体は、筒状物における開口部からの深さの半分以上に達する長さに形成されていることにある。
【００１０】
このように構成した本発明の他の特徴によれば、筒状物換気具は、板状本体が筒状物における開口部からの深さの半分以上に達する長さに形成されているため、筒状物の内部の奥深くまで外気を導入することができるとともに、筒状物の内部の奥深くの空気を外部に導くことができる。
【００１１】
また、本発明の他の特徴は、筒状物換気具において、板状本体は、板面に長手方向に沿って凹状に凹んで延びる溝状の案内部が形成されていることにある。
【００１２】
このように構成した本発明の他の特徴によれば、筒状物換気具は、板状本体が板面に長手方向に沿って凹状に凹んで延びる溝状の案内部が形成されているため、板状本体に当たった空気を幅方向に逃がすことなく効果的に筒状物の内部に導くことができる。
【００１３】
また、本発明の他の特徴は、筒状物換気具において、板状本体は、板面の長手方向に延びる折り部または曲げ部によって幅方向の長さが伸縮自在に形成されていることにある。
【００１４】
このように構成した本発明の他の特徴によれば、筒状物換気具は、板状本体が板面の長手方向に延びる折り部または曲げ部によって幅方向の長さが伸縮自在に形成されているため、筒状物の開口部の大きさに応じて筒状物換気具を広げてまたは縮めて装着することができるとともに、互いに異なる大きさの開口部を有する複数種類の筒状物間に共通して使用することができる。また、筒状物換気具は、幅方向に収縮させることで保管や持ち運びも用意となる。
【００１５】
また、本発明の他の特徴は、筒状物換気具において、板状本体は、人手によって折り曲げ可能な材料で構成されていることにある。
【００１６】
このように構成した本発明の他の特徴によれば、筒状物換気具は、板状本体が人手によって折り曲げ可能な材料で構成されているため、筒状物間器具の使用者によって板状本体を筒状物の開口部の大きさに合わせた形状や案内部を任意に形成することができる。この場合、人手によって折り曲げ可能な材料とは、板状本体が長手方向に自重によって座屈することなく自立する剛性を有しつつ使用者の人手によって弾性的または塑性的に曲げたり折ったりすることができる柔軟な材料である。
【００１７】
また、本発明の他の特徴は、筒状物換気具において、板状本体は、筒状物に沿う長手方向に対して屈曲して形成されていることにある。
【００１８】
このように構成した本発明の他の特徴によれば、筒状物換気具は、板状本体が筒状物に沿う長手方向に対して屈曲して形成されているため、筒状物内に導入した空気の流れを曲げて換気効率を向上させることができる。例えば、筒状物換気具は、筒状物がシューズなどの靴のように足を挿入する開口部から下方に延びた後足先方向に屈曲して形成されている場合においては、板状本体がＬ字状に屈曲して形成されることによって靴内に導入した空気を靴の足先方向に導いて換気効率を向上させることができる。つまり、筒状物換気具は、筒状物が開口部から奥側に延びた後、屈曲している場合には、板状本体が筒状物の屈曲する形状に沿った形状に形成することができる。
【００１９】
また、本発明の他の特徴は、筒状物換気具において、板状本体は、筒状物の外部に張り出す側の先端部に筒状物に沿う長手方向に対して直交する方向に延びる規制壁を備えることにある。
【００２０】
このように構成した本発明の他の特徴によれば、筒状物換気具は、板状本体が筒状物の外部に張り出す側の先端部に筒状物に沿う長手方向に対して直交する方向に延びる規制壁を備えているため、板状本体における筒状物の開口部から張り出した部分に空気が当たった場合にこの空気の流れが規制壁に遮られて開口部側に流れることにある。これにより、本発明に係る筒状物換気具は、筒状物内に効率的に空気を導入して換気を促進することができる。
【００２１】
また、本発明は、筒状物換気具の発明として実施できるばかりでなく、この筒状物の換気方法の発明としても実施できるものである。
【００２２】
具体的には、筒状物の換気方法は、開口部を有する筒状に形成された筒状物の内部を換気するための筒状物の換気方法であって、開口部を介して筒状物内に挿し込んだ状態で同筒状物の外部に張り出す長尺の板状体で構成されるとともに、開口部の開口幅の少なくとも半分以上の幅でかつ板状体の両面側で開口部における開口部分を確保できる厚さに形成された板状本体で構成された筒状物換気具を用意する器具準備工程と、筒状物換気具を筒状物の外部に張り出す状態で同筒状物内に開口部を介して挿し込む器具装着工程と、筒状物換気具を筒状物に挿し込んだ状態を維持して同筒状物内を換気する換気工程とを含むことにある。これによれば、筒状物の換気方法は、前記筒状物換気具と同様の作用効果を期待することができる。
【図面の簡単な説明】
【００２３】
【図１】本発明に係る筒状物換気具の全体構成の概略を正面側から見た斜視図である。
【図２】図１に示した筒状物換気具の使用状態を正面側から見た斜視図である。
【図３】図１に示した筒状物換気具を筒状物に挿し込んだ使用状態を示しており、（Ａ）は筒状物換気具の平面図であり、（Ｂ）は筒状物に対して図示左側から外気が導入されるとともに図示右側から筒状物内の空気が排気される状態を示した筒状物換気具の側面図であり、（Ｃ）筒状物に対して図示右側から外気が導入されるとともに図示左側から筒状物内の空気が排気される状態を示した筒状物換気具の側面図である。
【図４】本発明に係る筒状物の換気方法の作業工程を示したフォローチャートである。
【図５】本発明の変形例に係る筒状物換気具の使用状態を正面側から見た斜視図である。
【図６】本発明の他の変形例に係る筒状物換気具の使用状態を示す平面図である。
【図７】本発明の他の変形例に係る筒状物換気具の使用状態を正面側から見た斜視図である。
【図８】本発明の他の変形例に係る筒状物換気具の使用状態を正面側から見た斜視図である。
【図９】本発明の他の変形例に係る筒状物換気具の使用状態を正面側から見た斜視図である。
【図１０】本発明の他の変形例に係る筒状物換気具の使用状態を斜め方向から見た部分拡大斜視図である。
【図１１】本発明の他の変形例に係る筒状物換気具の使用状態を正面側から見た斜視図である。
【図１２】本発明の他の変形例に係る筒状物換気具の使用状態を正面側から見た斜視図である。
【図１３】本発明の他の変形例に係る筒状物換気具の使用状態を正面側から見た斜視図である。
【発明を実施するための形態】
【００２４】
以下、本発明に係る筒状物換気具および筒状物の換気方法の一実施形態について図面を参照しながら説明する。図１は、本発明に係る筒状物換気具１００の全体構成の概略を正面側から見た斜視図である。また、図２は、図１に示した筒状物換気具１００の使用状態を正面側から見た斜視図である。また、図３は、図１に示した筒状物換気具１００を筒状物ＷＫに挿し込んだ使用状態を示しており、（Ａ）は筒状物換気具１００の平面図であり、（Ｂ），（Ｃ）は筒状物換気具１００の側面図である。この筒状物換気具１００は、ペットボトルで構成される筒状物ＷＫの内部を換気して乾燥させるための器具である。
【００２５】
ここで、ペットボトルで構成される筒状物ＷＫは、主として、飲料を収容する縦型の容器であり、主として、本体部ＢＯと開口部ＡＰとで構成されている。本体部ＢＯは、筒状物ＷＫが収容する飲料などの物品を収容する部分であり、上下方向に延びる有底の円筒状に形成されている。一方、開口部ＡＰは、本体部ＢＯ内に飲料などの物品を出し入れするために円筒状に形成された部分であり、本体部ＢＯの上端部に上方に向かって開口して形成されている。この場合、開口部ＡＰは、本体部ＢＯの内径よりも十分に小さい内径で形成されている。すなわち、筒状物ＷＫは、本体部ＢＯの上部部分が括れて開口する形状に形成されている。
【００２６】
（筒状物換気具１００の構成）
この筒状物換気具１００は、板状本体１０１を備えている。板状本体１０１は、筒状物ＷＫ内に挿し込まれる部品であり、図示上下方向に長尺に延びる板状体で構成されている。具体的には、板状本体１０１は、長手方向が筒状物ＷＫ内に挿入された状態で開口部ＡＰから張り出す長さに形成されるとともに、この長手方向に直交する幅方向が筒状物ＷＫの開口部ＡＰに挿入可能な長さの幅に形成された平面状の薄板体で構成されている。
【００２７】
この場合、板状本体１０１は、筒状物ＷＫ内に挿入された状態で開口部ＡＰから少なくとも１ｃｍ以上張り出す長さに形成されるとともに、開口部ＡＰの内径の半分以上かつ同内径以下の幅に形成される。本実施形態においては、板状本体１０１は、筒状物ＷＫの底部に突き当たった状態で開口部ＡＰから３ｃｍだけ張り出す長さに形成されるとともに、開口部ＡＰの内径と略同じ幅に形成されている。この板状本体１０１には、案内部１０２が形成されている。
【００２８】
案内部１０２は、筒状物ＷＫの外部に存在する空気を筒状物ＷＫ内に導くとともに筒状物ＷＫ内に存在する空気を筒状物ＷＫの外に導くための部分であり、板状本体１０１の両面の各板面の長手方向の両端部間に溝状に凹んで延びて形成されている。この案内部１０２は、板状本体１０１を幅方向に山折りおよび谷折りで屈曲させることによって板状本体１０１の一方の板面に１つの溝状の案内部１０２ａが形成されるとともに他方の板面に２つの溝状の案内部１０２ｂがそれぞれ形成されて構成されている。
【００２９】
これにより、板状本体１０１は、幅方向に蛇腹状に形成されて伸縮するように構成されている。この場合、板状本体１０１は、蛇腹形状を維持した状態で幅方向に筒状物ＷＫの開口部ＡＰの内径よりも長い長さに伸びるとともに同開口部ＡＰの内径よりも短い長さに縮む。
【００３０】
この板状本体１０１は、ポリエチレン、ポリスチレン、ポリプロピレン、ＰＥＴ（ポリエステル）および塩化ビニルをなどの樹脂材を厚さが０．４ｍｍの薄板状に形成して構成することができる。この場合、板状本体１０１は、自重では折れ曲がらない剛性を有しつつ人手によって容易に屈曲させる柔軟な材料で構成されている。なお、図２および図３においては、筒状物換気具１００における筒状物ＷＫ内に挿入された部分を破線で示している（図５，図７，図８，図９，図１１も同様）。
【００３１】
（筒状物換気具１００の作動）
上記のように構成した筒状物換気具１００および筒状物の換気方法の作動について図４を参照しながら説明する。まず、使用者は、換気対象となる筒状物ＷＫおよび筒状物換気具１００をそれぞれ用意する（器具準備工程）。この場合、筒状物ＷＫは、本体部ＢＯの内側面に水滴（図示せず）が付着した濡れた状態である。また、筒状物換気具１００は、板状本体１０１が幅方向に蛇腹状に折られて案内部１０２が形成されている。
【００３２】
次に、使用者は、筒状物換気具１００を筒状物ＷＫの内部に挿し込む（器具装着工程）。具体的には、使用者は、筒状物換気具１００の板状本体１０１を幅方向に縮めた状態で開口部ＡＰから挿し込んで板状本体１０１における挿し込んだ側の先端部が本体部ＢＯの底部に突き当たるまで板状本体１０１を進入させる。
【００３３】
次に、使用者は、筒状物換気具１００における板状本体１０１を幅方向に広げて開口部ＡＰの径方向の両端部に板状本体１０１の幅方向の両端部を接触させる。これにより、筒状物換気具１００は、板状本体１０１が長手方向の全体で筒状物ＷＫの開口部ＡＰの直径と略同じ長さの幅で開いた状態でかつ一方（図示下方）の端部が筒状物ＷＫの底部に突き当たるとともに他方（図示上方）の端部が開口部ＡＰから張り出した状態で筒状物ＷＫに装着される（図２および図３参照）。
【００３４】
次に、使用者は、筒状物換気具１００が挿し込まれた筒状物ＷＫを適当な場所に置いて筒状物ＷＫ内の換気を行う（換気工程）。この場合、使用者は、筒状物ＷＫを開口部ＡＰが上方に向く起立した姿勢で配置する。また、筒状物ＷＫを配置する場所は、台所、食卓、玄関、納戸、窓辺または屋外などどこでもよいが、戸棚内などの密閉された空間よりも空気の流れがある空間の方が好ましい。したがって、使用者は、筒状物ＷＫを屋外に面する窓を開けた窓辺に配置するとよい。なお、使用者は、筒状物ＷＫを起立した姿勢のほかに、筒状物ＷＫを開口部ＡＰを下方に向けた逆さまの姿勢で配置してもよいし、筒状物ＷＫを軸線方向が水平方向と平行になる横に寝かした姿勢で配置してもよい。
【００３５】
この筒状物ＷＫの換気工程においては、筒状物換気具１００は、図３（Ｂ），（Ｃ）にそれぞれ示すように、板状本体１０１における筒状物ＷＫの開口部ＡＰから張り出した部分に当たった空気の一部が板状本体１０１に沿って筒状物ＷＫの本体部ＢＯの内部に導かれる。この場合、筒状物ＷＫ内には、筒状物換気具１００の板状本体１０１の両面のうちの一方の板面、すなわち、板状本体１０１における案内部１０２ａ側または案内部１０２ｂ側から外気が導入される。
【００３６】
また、この場合、筒状物換気具１００は、板状本体１０１の板面が案内部１０２ａまたは案内部１０２ｂによって凹状に形成されているため、板状本体１０１の板面に当たった空気を効果的に本体部ＢＯ内に導くことができる。また、筒状物換気具１００は、板状本体１０１が筒状物ＷＫの底部にまで延びているため、外部から取り込んだ空気を本体部ＢＯの奥部まで導くことができる。
【００３７】
一方、外気が導入された筒状物ＷＫは、導入された空気量と同量の空気が開口部ＡＰを介して外部に排出される。この場合、筒状物ＷＫ内の空気は、筒状物換気具１００の板状本体１０１に対して外気が導かれた板面側とは反対側の板面側から排気される。すなわち、筒状物ＷＫは、筒状物換気具１００の板状本体１０１における案内部１０２ａ側から外気が導入された場合には筒状物ＷＫの内部の空気は案内部１０２ｂ側から排出され、案内部１０２ｂ側から外気が導入された場合には筒状物ＷＫの内部の空気は案内部１０２ａ側から排出される。
【００３８】
この筒状物ＷＫに対する空気の出入りは、筒状物ＷＫの外部の空気の流れに応じて案内部１０２ａ側および案内部１０２ｂのうちの一方が流入側となり他方が流出側となる。また、筒状物換気具１００は、扇風機やエアコンなどの送風機を用いて強制的な空気の流れが作られていてもよいが、敢えて空気の流れを生じさせなくても自然に発生する空気の流れによって外気を筒状物ＷＫ内に導くことができる。これにより、筒状物換気具１００は、筒状物ＷＫ内に対して換気を行うことで筒状物ＷＫ内の水滴の蒸発を促進して乾燥させることができる。なお、図３（Ｂ），（Ｃ）においては、筒状物ＷＫに対して出入りする空気を破線矢印でそれぞれ示している。
【００３９】
なお、使用者は、使用者は、筒状物ＷＫを横に寝かした状態で配置する場合、筒状物ＷＫにおける開口部ＡＰ側の部分のみを窓を少し開けた隙間から屋外に張り出すように配置することで屋外の風を利用して効率的に筒状物ＷＫ内の換気を行うことができる。
【００４０】
次に、使用者は、筒状物ＷＫ内が乾燥したと判断した場合には、筒状物換気具１００を筒状物ＷＫから除去する（器具除去工程）。具体的には、使用者は、筒状物ＷＫに挿し込まれた筒状物換気具１００を抜き取ることで筒状物ＷＫ内から除去することができる。筒状物ＷＫから抜き取った筒状物換気具１００は、次回の筒状物ＷＫの換気作業に繰り返し使用できる。この場合、使用者は、筒状物換気具１００を幅方向に縮めてコンパクトに保管することができる。
【００４１】
ここで、本発明者による実験結果について説明する。本発明者は、筒状物換気具１００を使用した場合と使用しなかった場合とで筒状物ＷＫの内部の乾燥具合に差が生じるか否かを実験した。具体的には、本発明者は、５００ｍｌの容量の全く同一形状の２つの透明な飲料用ペットボトルを筒状物ＷＫとしてそれぞれ用意するとともに、これら２つの筒状物ＷＫの内部をそれぞれ軽く水洗いした後、逆さまにして軽く水を切った。これにより、２つの筒状物ＷＫの各内側面には、互いに同程度の水滴が付着した状態となった。
【００４２】
次に、本発明者は、２つの筒状物ＷＫにおける一方に上記した筒状物換気具１００を挿し込むとともに、他方の筒状物ＷＫには筒状物換気具１００を挿し込むことなく全くの開口状態とした。そして、本発明者は、筒状物換気具１００が挿し込まれた筒状物ＷＫと筒状物換気具１００が挿し込まれていない筒状物ＷＫとを並べて台所シンクの横のカウンター上にそれぞれ配置して筒状物ＷＫの内部の乾燥具合を観察した。なお、この場合、これら２つの筒状物ＷＫは、各開口部ＡＰがそれぞれ真上を向く姿勢で配置した。
【００４３】
この実験の結果、本発明者は、実験開始から５時間経過後において筒状物換気具１００が挿し込まれた筒状物ＷＫにおける内側面の水滴が存在しないことを目視で確認した。一方、本発明者は、実験開始から５時間経過後において筒状物換気具１００が挿し込まれていない筒状物ＷＫでは底部に水滴を確認するとともに内壁面にも僅かに水滴が残っていることを確認した。この筒状物換気具１００が挿し込まれていない筒状物ＷＫにおいては、内側面について水滴の存在が確認できなくなるまでに実験開始から１０時間程度の時間を要した。
【００４４】
上記作動説明からも理解できるように、上記実施形態によれば、筒状物換気具１００は、筒状物ＷＫ内に挿し込まれる板状本体１０１が筒状物ＷＫの開口部ＡＰを介して筒状物ＷＫ内に挿し込んだ状態で同筒状物ＷＫの外部に張り出す長尺の板状体で構成されるとともに、開口部ＡＰの開口幅と同じ幅でかつ板状本体１０１の両面側で開口部ＡＰを塞ぐことなく開口部分を確保できる厚さに形成されている。これにより、本発明に係る筒状物換気具１００は、筒状物ＷＫの外部の空気を積極的に筒状物ＷＫの内部に導入して換気することができ筒状物ＷＫの内部を早期に乾燥させることができる。
【００４５】
さらに、本発明の実施にあたっては、上記実施形態に限定されるものではなく、本発明の目的を逸脱しない限りにおいて種々の変更が可能である。なお、各変形例の説明においては、上記実施形態と同様の部分については同じ符号を付して重複する説明は省略する。
【００４６】
例えば、上記実施形態においては、筒状物換気具１００は、板状本体１０１の断面形状を山形が連続する所謂ギザギザ形状に形成して案内部１０２を構成した。これにより、筒状物換気具１００は、板状本体１０１に当たった空気を効果的に筒状物ＷＫの内部に導くことができるとともに筒状物ＷＫの内部の空気を外部に導くことができる。しかし、案内部１０２は、板状本体１０１の長手方向に沿って凹状に凹む溝状に形成されていればよい。したがって、案内部１０２は、例えば、板状本体１０１の断面形状を円弧形状または方形形状が連続する凹凸形状に形成して構成することができる。
【００４７】
また、案内部１０２は、例えば、図５に示すように、板状本体１０１を幅方向に二つ折りすることで１つの山形（または谷形）形状で構成することもできる。また、案内部１０２は、例えば、図６に示すように、板状本体１０１を幅方向に湾曲させることで１つの曲面形状で構成することもできる。これらの場合、筒状物換気具１００は、板状本体１０１を筒状物ＷＫの開口部ＡＰ内に挿し込むことで案内部１０２を形成することができる。
【００４８】
具体的には、筒状物換気具１００は、板状本体１０１に案内部１０２を形成することなく平面状に形成しておき、筒状物ＷＫの開口部ＡＰ内に挿し込む際に折るまたは湾曲させるように曲げることで弾性的または塑性的な変形を介して案内部１０２を形成することができる。すなわち、筒状物換気具１００は、板状本体１０１を弾性変形可能なまたは塑性変形可能な材料で構成することができる。
【００４９】
また、筒状物換気具１００は、板状本体１０１を弾性変形または塑性変形が不能な材料で構成して案内部１０２を固定的な形状に形成することもできる。また、案内部１０２は、板状本体１０１の両面における一方の板面にのみ形成することもできる（図５参照）。
【００５０】
また、上記実施形態においては、筒状物換気具１００は、板状本体１０１に案内部１０２を形成して構成した。しかし、筒状物換気具１００は、図７に示すように、板状本体１０１に案内部１０２を形成することなく平面状に形成して構成することもできる。
【００５１】
また、上記実施形態においては、筒状物換気具１００は、板状本体１０１の幅を筒状物ＷＫの開口部ＡＰの内幅と同じ幅に形成した。これにより、筒状物換気具１００は、筒状物ＷＫの開口部ＡＰに安定的に保持される。しかし、板状本体１０１の幅は、少なくとも筒状物ＷＫの開口部ＡＰの内幅の半分以上の幅で開口部ＡＰ内に収まる大きさに形成されていればよい。例えば、筒状物換気具１００は、図８に示すように、平板状の板状本体１０１を開口部ＡＰの内径の半分の幅で形成することによって開口部ＡＰへの出し入れを用意にすることができる。
【００５２】
また、上記実施形態においては、筒状物換気具１００は、板状本体１０１の幅を伸縮自在に形成した。これにより、筒状物換気具１００は、異なる大きさの開口部ＡＰを備えた筒状物ＷＫに共通して使用することができる。しかし、筒状物換気具１００は、板状本体１０１を容易に弾性変形または塑性変形しない材料で構成することによって板状本体１０１の幅を含む全体形状を固定的に形成することもできる。
【００５３】
また、上記実施形態においては、筒状物換気具１００は、板状本体１０１の長さを筒状物ＷＫの底部に届く長さに形成した。これにより、筒状物換気具１００は、筒状物ＷＫの本体部ＢＯの奥深くまで外気を導き易くなり、本体部ＢＯ内の換気を促進することができる。この場合、筒状物換気具１００は、板状本体１０１の長さを筒状物ＷＫの底部に必ずしも届かなくても底部付近に位置する長さ、すなわち、底部に対して隙間が生じる長さに形成することで同様に本体部ＢＯ内の換気を促進することができる。
【００５４】
しかし、板状本体１０１の長さは、少なくとも筒状物ＷＫの開口部ＡＰから張り出した状態で本体部ＢＯ内に達する長さに形成されていればよい。したがって、筒状物換気具１００は、例えば、図９に示すように、板状本体１０１の長さを筒状物ＷＫの開口部ＡＰから張り出した状態で本体部ＢＯの深さの半分の長さに形成することができる。
【００５５】
このように、筒状物換気具１００は、板状本体１０１の長さを筒状物ＷＫの開口部ＡＰから張り出した状態で本体部ＢＯの深さの半分または半分以上で底部に達しない長さに形成することで本体部ＢＯ内の換気を促進することができるとともに板状本体１０１の筒状物ＷＫへの出し入れ作業も容易することができる。なお、この場合、筒状物換気具１００は、上記実施形態のように、板状本体１０１が幅方向に弾性的に広がって開口部ＡＰの内側面を押圧することで板状本体１０１が筒状物ＷＫ内に落下することを防止することができる。
【００５６】
また、上記実施形態においては、筒状物換気具１００は、板状本体１０１の長さを筒状物ＷＫの開口部ＡＰから３ｃｍだけ張り出す長さに形成した。しかし、板状本体１０１の長さは、筒状物ＷＫの開口部ＡＰから張り出す長さに形成されていればよい。この場合、板状本体１０１の長さは、筒状物ＷＫの開口部ＡＰから少なくとも１ｃｍ以上の長さで張り出すように形成することで外気を効果的に本体部ＢＯ内に導いて換気を促進することができる。この場合、板状本体１０１における筒状物ＷＫの開口部ＡＰから張り出す部分の長さは、筒状物ＷＫに挿入された部分の長さよりも短くすることで筒状物換気具１００を挿入した筒状物ＷＫを安定化することができる。
【００５７】
また、上記実施形態においては、板状本体１０１は、樹脂製の薄板で構成した。しかし、板状本体１０１は、筒状物ＷＫの外側に流れる空気を筒状物ＷＫの本体部ＢＯ側に導くことができる板状体で構成されていればよい。この場合、板状本体１０１は、目の細かいメッシュや網状に構成することもできるが、空気を透過させない平面が連続的に形成された板面で構成されることが好適である。また、板状本体１０１は、樹脂材料のほかに、ゴム材、金属材料、セラミック材料、紙材または木材で構成することができる。なお、板状本体１０１を構成する板状体には、自重で折れ曲がることなく自立する剛性を有していればシートも含まれるものである。
【００５８】
また、上記実施形態においては、板状本体１０１は、筒状物ＷＫの開口部ＡＰから張り出す部分が直線状に延びる形状に形成した。しかし、板状本体１０１は、例えば、図１０に示すように、筒状物ＷＫの外部に張り出す側の先端部に筒状物ＷＫに沿う長手方向に対して直交する方向に延びる規制壁１０３を備えて構成することができる。この場合、規制壁１０３は、板状本体１０１における図示上端部を屈曲させて構成することができる。これによれば、筒状物換気具１００は、筒状物ＷＫの開口部ＡＰから張り出す部分に空気が流れて来た場合、この空気の前記先端部側（図示上方）への流れを規制壁１０３が阻害することで図示下方の開口部ＡＰ側への流量が増加する。これにより、筒状物換気具１００は、筒状物ＷＫ内に対して積極的に空気を送り込むことができ、換気効率を向上させることができる。なお、図１０においては、規制壁１０３は、案内部１０２ａに形成したが、案内部１０２ｂに形成してもよいし、案内部１０２を有さない板状本体の先端部に形成してもよい。また、図１０においては、空気の流れを破線矢印で示している。
【００５９】
また、上記実施形態においては、筒状物換気具１００をペットボトルで構成された筒状物ＷＫに使用した例について説明した。しかし、筒状物ＷＫは、開口部ＡＰから奥行きの長い有底または無底（貫通）の筒状に形成されていればよい。したがって、筒状物ＷＫは、例えば、容器、衣服、靴または鞄で構成することができる。この場合、容器としては、ペットボトルやワインボトルなどのボトル、ビン、コップ、調味料入れ、水筒、湯沸しポット、洗顔用・洗髪用・身体用の液体石鹸容器、花瓶、徳利、牛乳パック、飲料缶、樽、ドラム缶、タンク、ビーカ、フラスコまたは試験管がある。また、衣服としては、Ｔシャツ、トレーナ、ハイソックス、ルーズソックス、手袋、ズボンまたは胴長などがある。また、靴としては、紳士靴、運動靴、長靴またはブーツなどがある。また、鞄としては、リュックサック、ずだ袋、トートバックまたはハンドバックなどがある。また、筒状物としては、上記以外にも、開口部からの奥行きの長い下駄箱、収納棚、ロッカー、地面に掘った穴、排水口などの配管、洗濯機の洗濯槽またはストローなどもある。
【００６０】
例えば、筒状物換気具１００は、図１１に示すように、ブーツで構成された筒状物ＷＫに挿し込んで内部の換気を行うことができる。また、筒状物換気具１００は、図１２に示すように、Ｔシャツで構成された首元を開口部ＡＰとして筒状物ＷＫに挿し込んで内部の換気を行うことができる。この場合、筒状物換気具１００は、Ｔシャツで構成された筒状物ＷＫを吊るすハンガーＨＧに粘着テープ、接着剤または面ファスナなどを用いて貼り付けて構成することができる。また、作業者は、蛇腹状に形成された板状本体１０１を輪ゴム内に通して、この環ゴムをハンガーＨＧに直接または洗濯バサミを使って取り付けることもできる。
【００６１】
また、使用者は、筒状物ＷＫであるＴシャツの首元を開口部ＡＰとするほかに、袖口を開口部ＡＰとすることができる。すなわち、使用者は、Ｔシャツやトレーナの左右の袖口の少なくとも一方から筒状物換気具１００を挿し込んで配置することができる。この場合、使用者は、図１２における二点鎖線で示すように、Ｔシャツやトレーナの左右の袖口の一方から他方に貫通するように筒状物換気具１００を挿し込んで配置することができる。これによれよれば、筒状物換気具１００は、Ｔシャツやトレーナにおける腕を通す部分や脇部分の効率的に乾燥させるができる。なお、図１２においては、筒状物ＷＫ内に挿し込まれたハンガーＨＧを破線で示している。
【００６２】
また、上記実施形態においては、板状本体１０１は、直線状に真っ直ぐ延びる筒状物ＷＫに対応して直線状に真っ直ぐ延びる板状に形成した。しかし、板状本体１０１は、筒状物ＷＫが開口部ＡＰから奥側に延びた後屈曲した形状に形成されている場合には、筒状物ＷＫの屈曲した形状に沿って屈曲して形成することができる。例えば、筒状物換気具１００は、図１３に示すように、筒状物ＷＫがシューズなどの靴のように足を挿入する開口部ＡＰから下方に延びた後足先方向に向かって屈曲して形成されている場合には、板状本体１０１が側面視でＬ字状に屈曲して形成することができる。
【００６３】
この場合、板状本体１０１は、一方の端部側（図示垂直方向）に延びる案内部１０２の山部および谷部に他方の端部側（図示水平方向）に延びる案内部１０２の谷部および山部がそれぞれ繋がるように形成した後、この板状本体１０１を長手方向で二つ折りすることでＬ字状に形成することができる。これによれば、筒状物換気具１００は、靴からなる筒状物ＷＫ内に導入した空気を靴の足先方向に導いて換気効率を向上させることができる。
【００６４】
また、上記実施形態においては、筒状物換気具１００は、筒状物ＷＫの内部を乾燥させるために使用した例について説明した。しかし、筒状物換気具１００は、筒状物ＷＫの内部に通気を行って換気するものである。したがって、筒状物換気具１００は、筒状物ＷＫの内部に通気を行って筒状物ＷＫの内部の臭いを除去する目的で使用することもできる。
【符号の説明】
【００６５】
ＷＫ…筒状物、ＢＯ…本体部、ＡＰ…開口部、ＨＧ…ハンガー、
１００…筒状物換気具、１０１…板状本体、１０２，１０２ａ，１０２ｂ…案内部、１０３…規制壁。
【図１】
2020079691.tif 000003
【図２】
2020079691.tif 000004
【図３】
2020079691.tif 000005
【図４】
2020079691.tif 000006
【図５】
2020079691.tif 000007
【図６】
2020079691.tif 000008
【図７】
2020079691.tif 000009
【図８】
2020079691.tif 000010
【図９】
2020079691.tif 000011
【図１０】
2020079691.tif 000012
【図１１】
2020079691.tif 000013
【図１２】
2020079691.tif 000014
【図１３】
2020079691.tif 000015